(57)【要約】      （修正有）【課題】薄形に形成可能な電気装置およびこの電気装置を具備する照明装置を提供する。【解決手段】電気装置１は、Ｅ形コア４の中央脚４ａが挿入される中央孔５、中央孔の周囲を周回するように各層に形成された導電パターンおよび各層の導電パターンを直列接続する第１の電気接続手段６を有する多層基板２と、多層基板２が嵌め込まれた開口と、Ｅ形コア４の両側脚４ｂ，４ｂが挿入される一対の側孔８，８と、開口に嵌め込まれた多層基板２の最下層および最上層の導電パターンに電気接続する第２の電気接続手段９を有する単層基板３と、前記中央孔５および前記一対の側孔８，８にそれぞれ挿入され、多層基板２および単層基板３に取り付けられたＥ形コア４を具備している。【選択図】図２
2012079847.tif 000002
【特許請求の範囲】
【請求項１】
Ｅ形コアの中央脚が挿入される中央孔、前記中央孔の周囲を周回するように各層に形成された導電パターンおよび各層の前記導電パターンを直列接続する第１の電気接続手段を有する多層基板と；
この多層基板が嵌め込まれた開口と、Ｅ形コアの両側脚が挿入される一対の側孔と、前記開口に嵌め込まれた前記多層基板の最下層および最上層の導電パターンに電気接続する第２の電気接続手段を有する単層基板と；
前記多層基板に形成された前記中央孔および前記単層基板に形成された前記一対の側孔にそれぞれ挿入され、前記多層基板および前記単層基板に取り付けられたＥ形コアと；
を具備していることを特徴とする電気装置。
【請求項２】
可視光を放射する照明負荷と；
この照明負荷を点灯するように形成された請求項１記載の電気装置と；
一端側に可視光を放射可能に前記照明負荷が配設され、内部に前記電気装置が収容されている器具本体と；
を具備していることを特徴とする照明装置。
【発明の詳細な説明】
【技術分野】
【０００１】
本発明の実施形態は、多層基板および単層基板を有する電気装置およびこの電気装置を具備する照明装置に関する。
【背景技術】
【０００２】
電気装置には、商用交流電圧を直流電圧に変換し、さらに所定の直流電圧または所定の交流電圧に変換して負荷を制御しているものがある。この電気装置の電気回路には、インダクタが使用されている（例えば特許文献１参照。）。このインダクタは、他の回路部品とともに回路基板に実装されている。
【先行技術文献】
【特許文献】
【０００３】
【特許文献１】特公平７−１６９７号公報（第３頁、第１図）
【発明の概要】
【発明が解決しようとする課題】
【０００４】
インダクタは、比較的高さ寸法を有し、また、回路基板に沿うように配設しにくいので、回路基板の占有空間を大きくしている。このため、電気装置の薄形化を図りにくいということがあった。
【０００５】
本発明は、薄形に形成可能な電気装置およびこの電気装置を具備する照明装置を提供することを目的とする。
【課題を解決するための手段】
【０００６】
本実施形態の電気装置は、多層基板、単層基板およびＥ形コアを有して構成される。
【０００７】
本実施形態の多層基板は、Ｅ形コアの中央脚が挿入される中央孔と、中央孔の周囲を周回するように各層に形成された導電パターンと、各層の導電パターンを直列接続する第１の電気接続手段を有している。
【０００８】
本実施形態の単層基板は、多層基板が嵌め込まれた開口と、Ｅ形コアの両側脚が挿入される一対の側孔と、開口に嵌め込まれた多層基板の最下層および最上層の導電パターンに電気接続する第２の電気接続手段とを有している。
【０００９】
本実施形態のＥ形コアは、多層基板に形成された中央孔および単層基板に形成された一対の側孔にそれぞれ挿入されていて、多層基板および単層基板に取り付けられている。
【発明の効果】
【００１０】
本実施形態によれば、多層基板の各層に形成された導電パターンがＥ形コアの中央脚回りに巻回されるコイルとなり、多層基板および単層基板にインダクタ部品が形成されるので、多層基板および単層基板からＥ形コア部分が突出するのみであり、両基板の占有空間が小さくなって、電気装置を薄形にすることが期待できる。
【図面の簡単な説明】
【００１１】
【図１】本発明の実施例１を示す電気装置の一部概略斜視図である。
【図２】同じく、電気装置の一部概略分解斜視図である。
【図３】同じく、基板の概略分解斜視図である。
【図４】本発明の実施例２を示す照明装置の概略正面断面図である。
【図５】同じく、照明装置の概略側面図である。
【発明を実施するための形態】
【００１２】
以下、本発明の一実施の形態について、図面を参照して説明する。
【実施例１】
【００１３】
本発明の実施例１を示す電気装置１は、図１ないし図３に示すように構成される。図１において、電気装置１は、多層基板２、単層基板３およびＥ形コア４を有して形成されている。
【００１４】
図３において、多層基板２は、４層以上であって、例えば厚さ２〜５ｍｍのガラスエポキシ材からなり、長方形に形成されている。そして、長方形の中央部には、中央孔５が形成されている。中央孔５は、Ｅ形コア４の中央脚４ａが挿入可能な形状および大きさに形成されている。
【００１５】
また、各層においては、中央孔５の周囲を周回するような図示しない導電パターンが例えば渦巻状に形成されている。そして、端部側の上面２ａおよび下面２ｂには、端面２ｃを跨ぐ第１の電気接続手段としての複数の端面パターン６が形成されている。端面パターン６は、前記導電パターンを直列接続している。なお、４層以上の上限値は、適宜設定すればよい。
【００１６】
単層基板３は、多層基板２と同等の厚さを有するリジット基板であり、長尺の長方形に形成されている。そして、多層基板２が嵌め込まれる開口７およびＥ形コア４の両側脚４ｂ，４ｂが挿入される一対の側孔８，８が形成されている。開口７は、多層基板２の長方形よりも若干大きい長方形に形成されている。また、一対の側孔８，８は、Ｅ形コア４の両側脚４ｂ，４ｂが挿入可能な形状および大きさに形成されている。なお、図３において、開口７および一対の側孔８，８は連通しているが、Ｅ形コア４や多層基板２の大きさによっては、個別に形成される。
【００１７】
そして、単層基板３には、多層基板２の最下層および最上層の導電パターンに電気接続される第２の電気接続手段としての複数の端子９が形成されている。端子９は、例えば銅箔からなる。端子９は、多層基板２の端面パターン６に対応して設けられている。
【００１８】
そして、図２に示すように、開口７に多層基板２が嵌め込まれて取り付けられる。多層基板２は、その縁部に適宜の箇所に塗布された図示しない絶縁性の接着材で単層基板３に固着されている。また、多層基板２の端面パターン６と、単層基板３の端子９が近接しており、両者は、はんだが塗布されて電気接続されている。
【００１９】
Ｅ形コア４は、フェライトからなり、中央脚４ａおよび一対の側脚４ｂ，４ｂを有する一対からなっている。そして、一対のＥ形コア４，４が多層基板の中央孔５および単層基板３の一対の側孔８，８にそれぞれの基板２，３の両面側から挿入されている。一対のＥ形コア４，４は、図示しない接着材により多層基板２および単層基板３に固着されて取り付けられている。
【００２０】
そして、多層基板２および単層基板３のＥ形コア４を除く部位には、図１に示すように、電子部品９ａ，９ｂ，９ｃが実装されている。電子部品９ａ，９ｂ，９ｃは、銅箔からなる配線パターン９ｄにより、多層基板２の端面パターン６や単層基板３の端子９に電気接続されている。
【００２１】
本実施形態によれば、多層基板２の各層に形成された導電パターンがＥ形コア４，４の中央脚４ａ，４ａ回りに巻回されるコイルとなり、多層基板２および単層基板３にインダクタ部品が形成されるので、多層基板２および単層基板３からＥ形コア４，４部分が突出するのみであり、両基板２，３の占有空間が小さくなって、電気装置１を薄形にすることができるという効果を有する。
【００２２】
なお、一対のＥ形コア４，４に替えて、Ｅ形およびＩ形のコアを用いてもよい。
【実施例２】
【００２３】
図４および図５は、本発明の実施例２を示し、図４は照明装置の概略正面断面図、図５は照明装置の概略側面図である。なお、図１と同一部分には、同一符号を付して説明は省略する。
【００２４】
図４に示す照明装置１０は、天井面などに直付けされる直付け照明器具であり、器具本体１１と、この器具本体１１に取り付けられた光源ユニット１２に形成されている。器具本体１１および光源ユニット１２は、それぞれ長方形の箱状に形成されている。器具本体１１は、その長手方向の大きさが光源ユニット１２とほぼ同等に形成されているが、その短手方向の大きさは、図５に示すように、光源ユニット１２よりも小さく形成されている。光源ユニット１２は、器具本体１１の一端側１１ａであって光源ユニット１２の長手方向の両端側１２ａ，１２ｂにおいて、複数個のねじ１３により器具本体１０に取り付けられている。
【００２５】
図４において、光源ユニット１２は、照明負荷としての発光ダイオード１４を格子状に多数配設している。発光ダイオード１４は、可視光を放射するように形成されている。そして、光源ユニット１２は、その開口側１２ｃに透光性カバー１５を配設している。発光ダイオード１２から放射された可視光は、透光性カバー１５を透過して床面側に放射される。すなわち、発光ダイオード１２は、床面側に可視光を放射可能に配設されている。
【００２６】
器具本体１０は、その内部に図１示す電気装置１を収容している。電気装置１は、発光ダイオード１４を点灯する点灯装置に形成されている。
【００２７】
本実施形態の照明器具１０は、薄形化される電気装置１が器具本体１０に収容されているので、全体を薄形化することができるという効果を有する。
【００２８】
なお、本実施形態の照明装置は、直付け形照明器具に限らず、吊り下げ形照明器具や埋込形照明器具などに構成されてもよい。
【符号の説明】
【００２９】
１…電気装置、  ２…多層基板、  ３…単層基板、  ４…Ｅ形コア、  ５…中央孔、  ６…第１の電気接続手段としての端面パターン、  ７…開口、  ８，８…一対の側孔、  ９…第２の接続手段としての端子、  １０…照明装置、  １１…器具本体、  １４…照明負荷としての発光ダイオード
【図１】
2012079847.tif 000003
【図２】
2012079847.tif 000004
【図３】
2012079847.tif 000005
【図４】
2012079847.tif 000006
【図５】
2012079847.tif 000007